(57)【要約】【課題】寸法調節が容易で、組み立てが容易にでき且つ簡易な構成で、基材とカバー部材とがずれるのを防止できる掲示物保持具の提供をすること。【解決手段】本発明の掲示物保持具１は、押出し成形により製造した基材３と、押出し成形により製造し且つ基材３に対して回動自在に設けて掲示物を基材に押さえるカバー部材５と、基材の端面に取り付けるネジ７とを備え、基材の軸部にカバー部材５の枢着部１９を回動自在に装着してあり、枢着部１９は基材３の軸部１１に一端側から通して基材に装着してあり、軸部１１は基材３の押出し成形と同時に成形したビスホールであり、ネジ７は軸部のビスホールに螺合して枢着部１９が軸部１１の長手方向にスライドするのを阻止している。【選択図】    図１
2004240370.tif 000002
【特許請求の範囲】
【請求項１】
押出し成形により製造した基材と、押出し成形により製造し且つ基材に対して回動自在に設けて掲示物を基材に押さえるカバー部材と、基材の端面に取り付けるネジとを備え、基材は掲示物の受け部と、軸部とを有し、カバー部材は掲示物の押さえ部と、基材の軸部に装着して軸部を中心に回動自在な枢着部とを有し、枢着部は基材の軸部に一端側から通して基材に装着してあり、軸部は基材の押出し成形と同時に成形したビスホールであり、ネジは軸部のビスホールに螺合して枢着部が軸部の長手方向にスライドするのを阻止していることを特徴とする掲示物保持具。
【請求項２】
基材及びカバー部材の端面を覆うキャップを備え、キャップはビスホールに螺合した前記ネジで基材に止めていることを特徴とする請求項１に記載の掲示物保持具。
【請求項３】
押出し成形により製造した基材と、押出し成形により製造し且つ基材に対して回動自在に設けて掲示物を基材に押さえるカバー部材と、カバー部材の端面に取り付けるネジとを備え、基材は掲示物の受け部と、枢着部とを有し、カバー部材は掲示物の押さえ部と、基材の枢着部に挿通する軸部とを有し、軸部はカバー部材の押出し成形と同時に成形したビスホールであり且つ枢着部の一端側から通して基材に装着してあり、ネジは軸部のビスホールに螺合して軸部が枢着部の長手方向にスライドするのを阻止していることを特徴とする掲示物保持具。
【発明の詳細な説明】
【０００１】
【発明の属する技術分野】
本発明は、ポスター等の掲示物を脱着自在に保持する掲示物保持具に関する。
【０００２】
【従来の技術】
特許文献１には、基材の軸部にカバー部材の枢着部が装着してあり、カバー部材を基材の軸部に対して回動自在に設けた構成が開示されており、この特許文献１では軸部はビスホールになっている。
【０００３】
また、特許文献２には、基材の軸部にカバー部材の枢着部を装着して、カバー部材を軸部に対して回動自在に設け、基材とカバー部材との端面にキャップを設けたことが開示されている。このキャップは嵌合部を基材にネジ固定している。
【０００４】
特許文献３には、基材の軸部にカバー部材の枢着部を枢着し、基材に対してカバー部材がその長手方向にスライドするのを防止する係合突起部材を設ける構成が開示されている。この特許文献３に開示の技術では、枢着部はカバー部材の長手方向の一部を切り欠いており、切欠き部分に配置した係合突起部材が枢着部の切欠き端縁の移動を規制して、カバー部材の長手方向のスライドを防止している。
【０００５】
【特許文献１】
特開２００１−２０９３３９号公報
【特許文献２】
特開平８−２９９１３１号公報
【特許文献３】
特許２９４８４５０号公報
【０００６】
【発明が解決しようとする課題】
しかし、特許文献１の技術では、カバー部材は基材の軸部に枢着しているだけであるから、カバー部材が基材の長手方向にスライド移動して、基材に対してカバー部材がずれてしまうことがある。このように基材とカバー部材がずれると、掲示物の一部が外れて垂れてしまい、外観を阻害するという問題がある。
【０００７】
一方、特許文献２では、キャップにはカバー部材に枢着する軸部と基材に嵌合する嵌合部を形成しているので、構成が複雑になるという問題がある。更に、組み立てはキャップの軸部をカバー部材に枢着するとともに基材に嵌合部を嵌合した後にキャップと基材とをネジ止めするので、組み立てに手間がかかるという問題がある。
【０００８】
特許文献３では、係合突起部材は基材の軸部の外周面に係合する湾曲面を形成する必要があるため製造に手間がかかるとともにカバー部材に切欠きを形成したり、基材に固定する必要があるので、組み立てに手間がかかる。また、枢着部はカバー部材の長手方向に沿って連続していないので、掲示物の大きさや施工場所に合わせた掲示物保持具の寸法調整（切り詰め）ができないという課題がある。
【０００９】
本発明は、上述した事情に鑑みなされたもので、寸法調節が容易で、組み立てが容易にでき且つ簡易な構成で、基材とカバー部材とがずれるのを防止できる掲示物保持具の提供を目的とする。
【００１０】
【課題を解決するための手段】
上記目的を達成するために、請求項１に記載の発明は、押出し成形により製造した基材と、押出し成形により製造し且つ基材に対して回動自在に設けて掲示物を基材に押さえるカバー部材と、基材の端面に取り付けるネジとを備え、基材は掲示物の受け部と、軸部とを有し、カバー部材は掲示物の押さえ部と、基材の軸部に装着して軸部を中心に回動自在な枢着部とを有し、枢着部は基材の軸部に一端側から通して基材に装着してあり、軸部は基材の押出し成形と同時に成形したビスホールであり、ネジは軸部のビスホールに螺合して枢着部が軸部の長手方向にスライドするのを阻止していることを特徴とする。
【００１１】
この請求項１に記載の発明では、掲示物保持具の組み立ては、基材の軸部にカバー部材の枢着部を一端側から通して、基材にカバー部材を装着し、次に、基材の軸部にネジを螺合する。ネジは頭が基材の軸部とカバー部材の枢着部との端面に直接当接するものであてもよいし、軸部及び枢着部の端面とネジの頭との間にワッシャやキャップ等の他の部材を介在させているものであってもよい。
【００１２】
本発明では、上述のように通し作業と、ネジ止め作業とのみで掲示物保持具を組み立てできるから、組み立て作業が容易である。
【００１３】
掲示物保持具に、ポスター等の掲示物を取り付ける場合には、基材に対してカバー部材を回動して開き、掲示物の端部を基材の受け部に載せ、カバー部材を回動してカバー部材の押さえ部で受け部との間に掲示物の端部を挟むようにして押さえる。したがって、カバー部材の回動操作のみで掲示物の取り付け取り外しが容易にできる。
【００１４】
基材の軸部は基材の押出し成形時に同時に形成したビスホールであり、このビスホールにネジを螺合するのでネジ止めしやすく、且つ基材の軸部を利用してネジを止めているので、軸部と別にビスホールを設ける必要がないから、構成が簡易である。
【００１５】
基材の軸部に対してカバー部材の枢着部がスライドしてずれるのを防止でき、掲示物の一部が外れて垂れたり、基材とカバー部材の端の位置がずれたりするのを防止できるから、外観が良い。
掲示物の寸法や施工場所に合わせて、基材とカバー部材とを長手方向で任意に切り詰めしてもそのままビスホールの端面にネジを螺合できるので、寸法調整が容易である。
【００１６】
請求項２に記載の発明は、請求項１に記載の発明において、基材及びカバー部材の端面を覆うキャップを備え、キャップはビスホールに螺合した前記ネジで基材に止めていることを特徴とする。
【００１７】
この請求項２に記載の発明では、請求項１に記載の発明と同様な作用効果を奏するとともに、基材及びカバー部材の端面にキャップを装着しているので、外観がよい。キャップの取り付けは基材の軸部とカバー部材の枢着部とを止めるネジが兼用するので、部品点数を少なくでき且つ組み立て工程を少なくでき作業性が良い。
【００１８】
請求項３に記載の発明は、押出し成形により製造した基材と、押出し成形により製造し且つ基材に対して回動自在に設けて掲示物を基材に押さえるカバー部材と、カバー部材の端面に取り付けるネジとを備え、基材は掲示物の受け部と、枢着部とを有し、カバー部材は掲示物の押さえ部と、基材の枢着部に挿通する軸部とを有し、軸部はカバー部材の押出し成形と同時に成形したビスホールであり且つ枢着部の一端側から通して基材に装着してあり、ネジは軸部のビスホールに螺合して軸部が枢着部の長手方向にスライドするのを阻止していることを特徴とする。
【００１９】
この請求項３に記載の発明は、請求項１に記載の発明において、基材の軸部とカバー部材の枢着部とを置き換えたものであり、請求項１に記載の発明と同様な作用効果を奏することができる。
【００２０】
【発明の実施の形態】
以下に、添付図面の図１及び図２を参照して本発明の第１実施の形態を詳細に説明する。図１は掲示物保持具を示す図であり、（ａ）は側面図、（ｂ）は前面側から見た正面図、（ｃ）は縦断面図である。
本実施の形態にかかる掲示物保持具１は、基材３と、カバー部材５と、ネジ７とから構成されており、カバー部材５で掲示物９の端部９ａを基材３に挟んで取り付けている。掲示物９はシート状のものであり、例えばポスターである。尚、本実施の形態では、掲示物保持具１は、掲示物９の上端部のみを保持して掲示物９を吊り下げている。
【００２１】
基材３は、アルミニウム合金を押出し成形したものであり、長尺である。この基材３は、壁１０等の表面にネジ固定されている。基材３の上端部には軸部１１が設けられており、軸部１１は中空１３を有して成るビスホールであり、外周は円形になっており、基材３の押出し形成時に同時に形成されている。
【００２２】
基材３の下端部には掲示物９の端部９ａを受ける受け部１５が設けられており、受け部１５は基材３に取り付けられた摩擦部材であり、この摩擦部材は本実施の形態ではゴム材である。受け部１５に摩擦部材１７を設けることにより掲示物９のずれを防止している。
【００２３】
カバー部材５は、縦断面が略への字形状に形成されており、上端部には内側が円弧状に形成された枢着部１９が設けられ、下端部には掲示物９の端部９ａを押さえる押さえ部２１が設けられている。
【００２４】
枢着部１９は軸部１１の外周面に装着しており、軸部１１を中心にして回動自在である。カバー部材５の枢着部１９は、軸部１１の一端側から挿通して取り付けている。
基材３とカバー部材５との端には、これらの端面を覆うキャップ２３が設けられており、キャップ２３は軸部１１に螺合するネジ７で固定されている。
【００２５】
キャップ２３には、ネジ７の挿通孔２５と、ネジ７の頭７ａを受ける凹状のネジ受け部２７が形成されており、正面側からネジの頭が見えないようになっている。本実施の形態では、キャップ２３を介してネジ７の頭７ａで基材３の軸部１１とカバー部材の枢着部１９との端面を揃えて保持し、カバー部材５が基材３に対して長手方向にずれるのを防止している。
【００２６】
次に、本実施の形態にかかる掲示物保持具の組み立て方法及び作用について説明する。掲示物保持具１の組み立ては、基材３の軸部１１にカバー部材５の枢着部１９を軸部１１の一端側から通した後、基材３とカバー部材５の両側端面にキャップ２３を配置し、キャップ２３の挿通孔２５にネジ７を挿通し、軸部１１であるビスホールにネジ７を螺合してキャップ２３を固定する。このように、本発明では、掲示物保持具１の組み立て作業が容易である。尚、キャップ２３はネジ７で固定することに限らず、係止突起を設けて基材３に嵌合により固定するものであってもよい。
【００２７】
軸部１１にネジ止めしたキャプ２３で基材３の軸部１１とカバー部材５の枢着部１９との端面を揃えて保持するので、カバー部材が基材の長手方向に移動してずれるのを防止する。
基材３の軸部１１は、基材３の押出し成形時に同時に形成したビスホールであり、このビスホールにネジ７を螺合しているのでネジ止めが容易にでき、且つ基材３の軸部１１を利用してネジ７を止めているので、別途ネジ孔が必要なく、構成が簡易である。
【００２８】
掲示物保持具１に、ポスター等の掲示物９を取り付ける場合には、基材３に対してカバー部材５を上方に回動して開き、掲示物９の端部９ａを基材３の受け部１５に載せ、カバー部材５を回動してカバー部材５の押さえ部２１で受け部１５に掲示物９の端部９ａを挟むようにして押さえる。したがって、カバー部材５の回動操作のみで掲示物９の取り付け取り外しが容易にできる。
【００２９】
ネジ７の頭７ａで基材３の軸部１１にネジ止めしたキャップ２３が基材３とカバー部材５との端面を覆うとともにこれらの端面を揃えているので外観がよい。また、キャップ２３が基材３の軸部１１に対してカバー部材５の枢着部１９がスライドしてずれるのを防止できるから掲示物９の一部が外れてだらしなく垂れ下がることがないので、外観が良い。
【００３０】
更に、キャップ２３の取り付けは基材３の軸部１１とカバー部材５の枢着部１９とを止めるネジが兼用するので、部品点数を少なくでき且つ組み立て工程を少なくでき作業性が良い。
【００３１】
以下に、本発明の他の実施の形態を説明するが、以下に説明する実施の形態では、上述した実施の形態と同一の作用効果を奏する部分には同一の符号を付することにより、その部分の詳細な説明を省略し、上述した実施の形態と異なる点を主に説明する。
【００３２】
図３〜図５に示す第２実施の形態では、基材３とカバー部材５とをそれぞれ上下に設け、上下の基材３、３間には裏面パネル３１を設けて掲示物９の裏面を受けるようにしている。
裏面パネル３１は、リベット３３で基材３に固定してあり、上述の受け部１５を裏面パネル３１が兼ねている。
【００３３】
この第２実施の形態によれば、掲示物９の全体を裏面パネル３１で受けるとともに、掲示物９の上下をカバー部材５、５で押さえているので、掲示物９の下端が巻き上がったり揺れたりすることなく安定に取り付けることができる。
【００３４】
更に、基材３とカバー部材５とには、板ばね３５が取り付けられており、この板ばね３５は、一端３５ａが基材３の略Ｃ字状部にＣ字内を移動可能に係止され、他端３５ｂがカバー部材５に固定されており、カバー部材５の開位置（図３中一点鎖線で示す位置）と閉位置（図３中実線で示す位置）とで板ばね３５の付勢力により開状態及び閉状態とをそれぞれ保持するようになっている。また、カバー部材５は、板ばね３５が弾性変形することによりの開位置と閉位置との間を回動するものである。尚、板ばね３５の一端３５ａでは基材の略Ｃ字内をカバー部材５の開閉に伴って移動して一端３５ａの位置を換えるようになっている。
【００３５】
このように、掲示物９を取り付けるときには、板ばね３５により、カバー部材５を基材３に対して開位置と閉位置とに保持できるので、掲示物９の取り付け及び取り外しがし易い。また、閉じ位置にあるときには、板ばね３５の付勢力により掲示物９をカバー部材５の押さえ部２１が基材３の受け部１５に押し付けるので、掲示物の脱落を防止できる。
【００３６】
本発明は、上述した実施の形態に限定されず、本発明の要旨を逸脱しない範囲で種々変形可能である。
例えば、図６に示すように、キャップ２３を用いずに、基材の軸部１１の端面にネジ７を直接取り付けて、ネジ７の頭７ａが軸部１１の端面とカバー部材５の枢着部１９の端面との両端面に直接当接するものであってもよい。
【００３７】
また、図７に示すように、第２実施の形態にかかる掲示物保持具１を上下に隣接して設け、上下に隣合う基材３、３とカバー部材５、５とをキャップ２３が覆うものであってもよい。このように、上下の基材３、３とカバー部材５、５とを一つのキャップ２３で兼ねることにより、上下の基材３、３を連結できるとともに部品点数の削減を図ることができる。
【００３８】
更に、掲示物保持具１を上下に隣接して設ける場合において、図８に示すように、キャップ２３は上下の基材３、３、３、３間に亘って連続して設けるものであってもよい。尚、図７及び図８に示す変形例では、掲示物保持具１を上下に連接しているが、左右に連接するものであってもよい。
【００３９】
また、裏面パネル３１の四周に基材３とカバー部材５とを設けて、掲示物９の四辺を基材３とカバー部材５とで保持するものであってもよい。この場合、図９に示すように、コーナ部では、横の基材３と縦の基材３とにＬ字金具４２を設けて両者をそれぞれネジ７，７で各軸部１１、１１に止め、キャップ２３を装着するものであってもよい。キャップ２３は、横の基材３と縦の基材３との両方又は一方にネジ止めしたり、または嵌合により装着する。
【００４０】
図１０に示すように、基材３に枢着部１９を設け、カバー部材５に軸部１１を設けて、軸部１１を枢着部１９に対して回動する構成とし、カバー部材５の軸部１１をビスホールとして、軸部１１にネジ７を螺合するものであってもよい。
上述した実施の形態において、基材３及びカバー部材５はアルミニウム合金等の金属材料に限らず、樹脂材であってもよい。
【００４１】
軸部１１のビスホールの断面形状は、Ｃ字形状に限らず、〇形状であってもよい。
【００４２】
【発明の効果】
請求項１に記載の発明によれば、基材の軸部にカバー部材の枢着部を一端側から通した後、軸部の端にネジを螺合するだけなので、掲示物保持具の組み立て作業が容易である。
【００４３】
基材の軸部は基材の押出し成形時に同時に形成したビスホールとしてあり、このビスホールにネジを螺合するのでネジ止めが容易にでき、且つ基材の軸部を利用してネジを止めているので軸部と別にビスホールを設ける必要がないから、構成が簡易である。
【００４４】
基材の軸部に対してカバー部材の枢着部がスライドしてずれるのを防止でき、掲示物の一部が外れて垂れたり、基材とカバー部材の端の位置がずれたりするのを防止できるから、外観が良い。
【００４５】
掲示物の寸法や施工場所に合わせて、基材とカバー部材とを長手方向で任意に切り詰めしてもそのままビスホールの端面にネジを螺合できるので、寸法調整が容易である。
【００４６】
請求項２に記載の発明によれば、請求項１に記載の発明と同様な効果を奏するとともに、基材及びカバー部材の端面にキャップを装着しているので、外観がよい。
【００４７】
キャップの取り付けは基材の軸部とカバー部材の枢着部とを止めるネジが兼用するので、部品点数を少なくでき且つ組み立て工程を少なくでき作業性が良い。
【００４８】
請求項３に記載の発明は、請求項１に記載の発明において、基材に設けた軸部とカバー部材に設けた枢着部とを入れ替えた構成としたものであり、請求項１に記載の発明と同様な効果を奏することができる。
【図面の簡単な説明】
【図１】掲示物保持具を示す図であり、（ａ）は側面図、（ｂ）は前面側から見た正面図、（ｃ）は縦断面図である。
【図２】図１に示す掲示物保持具が掲示物を取り付けた状態を示す正面図である。
【図３】第２実施の形態にかかる掲示物保持具の縦断面図である。
【図４】図３に示す掲示物保持具を上から見た横断面図である。
【図５】第２実施の形態にかかる掲示物保持具が掲示物を取り付けた状態を示す正面図である。
【図６】第１実施の形態にかかる掲示物保持具の変形例を示す図であり、（ａ）は正面図であり、（ｂ）は縦断面図である。
【図７】第２実施の形態にかかる掲示物保持具の変形例を示す図であり、（ａ）は縦断面図であり、（ｂ）は正面図である。
【図８】掲示物保持具の変形例を示す正面図である。
【図９】掲示物保持具の変形例において、そのコーナ部を示す正面図である。
【図１０】掲示物保持具の変形例を示す断面図である。
【符号の説明】
１    掲示物保持具
３    基材
５    カバー部材
７    ネジ
７ａ  ネジの頭
９    掲示物
９ａ  掲示物の端部
１１  軸部
１５  受け部
１９  枢着部
２１  押さえ部
２３  キャップ
３５  板ばね
【図１】
2004240370.tif 000003
【図２】
2004240370.tif 000004
【図３】
2004240370.tif 000005
【図４】
2004240370.tif 000006
【図５】
2004240370.tif 000007
【図６】
2004240370.tif 000008
【図７】
2004240370.tif 000009
【図８】
2004240370.tif 000010
【図９】
2004240370.tif 000011
【図１０】
2004240370.tif 000012